(57)【要約】【課題】写真画像をディスクメディアに配置する場合、写真画像の中心に配置された被写体が抜け落ちることがなく、また、タイトルや説明文を書き込むための余白領域を確保でき、操作が簡単である画像記録装置を提供することを目的とする。【解決手段】画像入力手段から入力される複数の写真画像から、印刷記録を行う写真画像を選択する画像選択手段と、円形状のディスクメディアの印刷面に印刷記録する記録手段とを有する。また、ディスクメディア印刷領域の一部分に、タイトル、内容を書き込む余白領域を設ける余白領域設定手段と、上記ディスクメディア印刷領域のうちで、上記余白領域を除いた領域に、上記写真画像を配置して印刷する印刷制御手段とを有する。【選択図】図８
2008068422.tif 000002
【特許請求の範囲】
【請求項１】
写真画像を入力する入力手段と；
上記入力手段から入力される複数の写真画像から、記録を行う写真画像を選択する選択手段と；
円形状のディスクメディアの記録面に記録する記録手段と；
ディスクメディア記録領域の一部分に、タイトル、内容を書き込む余白領域を設ける余白領域設定手段と；
上記ディスクメディア記録領域のうちで、上記余白領域を除いた領域に、上記写真画像を配置して記録する制御手段と；
を有することを特徴とする画像記録装置。
【請求項２】
請求項１において、
上記余白領域設定手段は、上記写真画像の外形が横長の矩形であれば、上記ディスクメディア記録領域の上または下に上記余白領域を設け、一方、上記写真画像の外形が縦長の矩形であれば、上記ディスクメディア記録領域の左または右に上記余白領域を設ける手段であることを特徴とする画像記録装置。
【請求項３】
請求項２において、
上記余白領域設定手段は、上記写真画像の外形が横長の矩形であれば、上記余白領域を上下のどちら側に設けるかを選択可能であり、一方、上記写真画像の外形が縦長の矩形であれば、上記余白領域を左右のどちら側に設けるかを選択可能である手段であることを特徴とする画像記録装置。
【請求項４】
請求項１から請求項３のいずれか１項において、
上記余白領域設定手段は、上記余白領域の大きさを、自由に選択可能である手段であることを特徴とする画像記録装置。
【請求項５】
請求項１から請求項４のいずれか１項において、
上記制御手段は、上記ディスクメディアの記録領域の外周円の一部分を、上記余白領域として切り取り、残った領域を、画像配置領域とし、また、上記写真画像の外形をなす長方形を、上記画像配置領域に外接するように相似変換し、上記写真画像を配置する手段であることを特徴とする画像記録装置。
【請求項６】
請求項１において、
上記余白領域設定手段は、上記写真画像の外形をなす長方形に、上記長方形の３辺に内接する円が、ディスクメディアの記録領域の外周円に相当するように、上記写真画像を配置し、残る１辺から、上記ディスクメディアの外側に位置するディスクメディア記録領域である領域を、上記余白領域として残すように配置する手段であることを特徴とする画像記録装置。
【請求項７】
請求項６において、
上記余白領域設定手段は、上記写真画像の外形をなす長方形の２つの長辺のうちで、どちら側に上記余白領域を設けるかを選択可能である手段であることを特徴とする画像記録装置。
【請求項８】
請求項１、２、４、５、６のいずれか1項において、
上記写真画像の特徴部分を抽出し、上記写真画像中の被写体中心位置を検出する中心位置検出手段を有し、
上記余白領域設定手段は、上記写真画像の外形をなす長方形の２つの長辺のうちで、上記被写体中心位置から遠い側の長辺の外側に、上記余白領域を残すように、上記写真画像を配置する手段であることを特徴とする画像記録装置。
【請求項９】
請求項１から請求項８のいずれか１項において、
文字テキストを入力する手段を有し、
上記記録手段は、上記ディスクメディア記録領域中に設けた上記余白領域に、上記文字テキストを配置して記録する手段であることを特徴とする画像記録装置。
【請求項１０】
請求項１から請求項８のいずれか１項において、
手書き原稿を入力する手段を有し、
上記記録手段は、上記ディスクメディア記録領域中に設けた上記余白領域に、上記手書き原稿を合成し、配置して記録する手段であることを特徴とする画像記録装置。
【請求項１１】
写真画像を入力する入力工程と；
上記入力工程で入力された複数の写真画像から、記録を行う写真画像を選択する選択工程と；
円形状のディスクメディアの記録面に記録する記録工程と；
ディスクメディア記録領域の一部分に、タイトル、内容を書き込む余白領域を設ける余白領域設定工程と；
上記ディスクメディア記録領域のうちで、上記余白領域を除いた領域に、上記写真画像を配置して記録する制御工程と；
を有することを特徴とする画像記録装置の制御方法。
【発明の詳細な説明】
【技術分野】
【０００１】
本発明は、画像記録装置に係り、特に、写真画像を入力し、ディスクメディアの印刷面に配置し、印刷記録する画像記録装置に関する。
【背景技術】
【０００２】
近年、デジタルカメラやカラースキャナ等、写真画像入力装置と、カラープリンタ等の画像出力装置とが普及され、また、高性能化されたことに伴い、画像記録装置のさまざまな使い方が提案されている。
【０００３】
たとえば、画像出力装置において、紙以外の記録媒体であるコンパクトディスク、ＤＶＤ等の円形のディスクメディアのラベル面に、直接印刷する方法が提案されている。
【０００４】
一方、従来の画像記録装置は、パーソナルコンピュータに接続し、パーソナルコンピュータからデータを受信し、印刷を行うものが主流である。これに対して、画像記録装置本体に、写真画像を入力する画像入力手段を設け、パーソナルコンピュータを介さずに、デジタルカメラから直接写真画像を入力し、印刷する機能を持つ画像記録装置が普及している。このような画像記録装置の付加機能を組み合わせることによって、画像記録装置単体で、デジタルカメラから写真画像を直接入力し、ディスクメディアのラベル面に印刷することが可能である。
【０００５】
このように、パーソナルコンピュータを介さずに、装置単体で、さまざまな機能を持たせる場合、パーソナルコンピュータになじみのないユーザ層をも、ターゲットとした装置が多い。このような装置において、コンピュータになじみのないユーザにとっても使いやすい装置を提供することが求められている。
【０００６】
画像記録装置単体で操作を行わせる場合、パーソナルコンピュータに装備されている表示装置や入力装置が、画像記録装置には、存在していないか、または、性能的に劣る場合が多い。このように、制約された環境で操作する場合、操作が極力少なくかつ簡単に機能を実現できることが必要である。また、パーソナルコンピュータになじみのないユーザ層を想定するのであれば、なおさら簡単な操作で所望の結果を得られる工夫が必要である。
【０００７】
ところで、デジタルカメラやビデオカメラで撮影した画像や動画がディスクメディアに記録されている場合、このディスクメディアに記録されている中身を代表する写真画像を、上記ディスクメディアのラベル面に印刷することが考えられる。
【０００８】
スキャナで読み取った画像を、ディスクメディアの印刷面に相当する範囲を、トリミングし、印刷する方法が知られている（たとえば、特許文献１参照）。
【０００９】
また、複数の画像をディスクメディアの印刷面に、レイアウトして印刷する方法が知られている（たとえば、特許文献２参照）。
【特許文献１】特開２００４−３５８７１４号公報
【特許文献２】特開２００４−２５５７６０号公報
【発明の開示】
【発明が解決しようとする課題】
【００１０】
ディスクメディアの印刷面が円形であるが、写真画像は、一般的に横長または縦長の長方形であり、写真画像のうちのどの部分を印刷するのかを決める必要がある。
【００１１】
一番単純には、写真画像の長方形に内接する円で囲まれる画像を切り取り、配置する方法があげられる。この場合、ディスクメディアの中心部分には、印刷不可能なエリアが存在し、写真画像の中心に配置されている被写体が抜け落ちるという問題がある。
【００１２】
一方、印刷装置に、表示装置と操作入力装置とを設け、写真画像を表示装置に表示した上で、任意の位置、大きさの円をユーザに設定させる方法も知られている。この場合、ユーザは、中心の印字不可領域も含めて、どのような配置になるのかを確認しながら、画像の配置を定めることができる反面、操作が複雑であり、表示装置、操作入力装置が必要になるので、装置が高価であるという問題がある。
【００１３】
また、ディスクメディアへ印刷する場合、ディスクメディアに記憶されている内容に応じてタイトルや説明文を書き込みたいという要求がある。しかし、選んだ写真画像を印刷領域全体に配置すると、これらを書き込むエリアがなくなるという問題がある。もちろん写真画像を印刷した上にペン等でタイトル等を書き込むことはできるが、写真画像の色によっては文字を判別しにくいという問題がある。
【００１４】
本発明は、写真画像をディスクメディアに配置する場合、写真画像の中心に配置された被写体が抜け落ちることがなく、また、タイトルや説明文を書き込むための余白領域を確保でき、操作が簡単である画像記録装置を提供することを目的とする。
【課題を解決するための手段】
【００１５】
本発明は、入力手段から入力される複数の写真画像から、記録を行う写真画像を選択する選択手段と、円形状のディスクメディアの記録面に記録する記録手段とを有する。また、本発明は、ディスクメディア領域の一部分に、タイトル、内容を書き込む余白領域を設ける余白領域設定手段と、上記ディスクメディア記録領域のうちで、上記余白領域を除いた領域に、上記写真画像を配置して記録する記録制御手段とを有する。
【発明の効果】
【００１６】
本発明によれば、写真画像をディスクメディアに配置する場合、写真画像の中心に配置された被写体が抜け落ちることがなく、また、タイトルや説明文を書き込むための余白領域を確保でき、操作が簡単であるという効果を奏する。
【発明を実施するための最良の形態】
【００１７】
本発明を実施するための最良の形態は、次の実施例である。
【実施例１】
【００１８】
図１は、本発明の実施例１である画像記録装置１の構成を示すブロック図である。
【００１９】
画像記録装置１は、ＣＰＵ２と、内部バス３と、プログラムメモリ４と、データメモリ５と、読取制御部６と、読取機構７と、データ変換部９と、記録制御部１１と、印字記録機構１２と、操作パネル１６とを有する。また、画像記録装置１は、メモリカード制御部１７と、メモリカード１８と、インタフェース制御部１９と、インタフェース２０と、通信制御部２２とを有する。
【００２０】
なお、データメモリ５は、読取バッファメモリ８と、印字バッファメモリ１０と、画像メモリ１３とを有する。操作パネル１６は、表示部１４と、操作部１５とを有する。
【００２１】
ＣＰＵ２は、マイクロプロセッサ形態であり、制御プログラムと、データメモリ５の内容とに従って動作する。プログラムメモリ４は、内部バス３を介してデータメモリ５に接続されているＲＯＭ形態のメモリであり、制御プログラムを格納している。データメモリ５は、ＲＡＭ形態のメモリである。
【００２２】
また、ＣＰＵ２は、読取制御部６を通じて読取機構７を動作させ、読取機構７内に設けられている不図示のイメージセンサによって読み取った原稿画像データを、データメモリ５中の読取バッファメモリ８に格納する。読取バッファメモリ８に格納されている原稿画像データは、データ変換部９が読み出し、印字記録データに変換した後に、データメモリ５中の印字バッファメモリ１０に格納される。
【００２３】
ＣＰＵ２は、記録制御部１１を通じて、印字記録機構１２を動作させ、また、印字バッファメモリ１０に格納されている印字記録データを読み出し、印字記録機構１２に送り、記録媒体へ印字記録することによって、コピー動作を実現する。なお、印字記録機構１２は、通常の紙媒体へ印字記録する他に、コンパクトディスクやＤＶＤ等のディスクメディアのラベル面へ印刷する。
【００２４】
データメモリ５には、画像メモリ１３が設けられ、読取機構７が読み取った原稿画像データの他、各種の画像データを、一時的に記憶し、編集する。画像メモリ１３に記憶されている画像データを、データ変換部９が読み出し、印字記録データに変換し、印字記録することによって、コピー動作以外にも、写真画像その他の印刷を行う。なお、データメモリ５上の読取バッファメモリ８、印字バッファメモリ１０、画像メモリ１３は、ＣＰＵ２の管理によって、容量配分を変更することができる。ＣＰＵ２は、動作モードやユーザ設定等動作状況に応じて、各メモリの容量配分を動的に変更し、割り付けて動作するように制御する。
【００２５】
画像記録装置１には、ＬＥＤ、ＬＣＤ等の表示部１４と、各種キー等の操作部１５を有する操作パネル１６とが設けられ、オペレータによる各種入力操作や動作状況の表示等を行うことができる。
【００２６】
メモリカード制御部１７は、データ記憶媒体であるメモリカード１８へのアクセスを制御し、メモリカード１８に記憶されている画像データ等を読み書きする。これによって、メモリカード１８に記憶されている写真画像データを読み出し、画像メモリ１３に格納し、印字記録データに変換し、印字記録すること等が可能である。
【００２７】
インタフェース制御部１９は、インタフェース２０による通信の制御を行い、外部に接続されている外部装置２１との間で、データの送受信を行う。外部装置２１として、パーソナルコンピュータを接続し、コンピュータ上で動作するプリンタドライバによって作成された印字記録データを受信し、印字記録することが可能である。この他にも、デジタルカメラ等の機器を接続し、写真画像データを読み出し、画像メモリ１３に格納し、印字記録データに変換し、印字記録することも可能である。
【００２８】
通信制御部２２は、ＭＯＤＥＭ（変復調装置）や、ＮＣＵ（網制御装置）等によって構成され、アナログの通信回線２３に接続され、通信制御、通信回線に対する発呼と着呼等の回線制御を行う。
【００２９】
図２は、実施例１において、メモリカード１８に記憶されている写真画像のうちの１枚を選択し、ディスメディアのラベル面に印刷する場合に、画像記録装置１のＣＰＵ２が行う処理を示すフローチャートである。
【００３０】
ＣＰＵ２は、まず、Ｓ１０１で、表示部１４に画像選択メニューを表示し、操作部１５に対するユーザ操作を監視することによって、写真画像選択を行わせる。Ｓ１０２で、選択された写真画像の縦、横の大きさを取得し、写真画像が縦長画像か横長画像かをチェックする。
【００３１】
Ｓ１０２で写真画像が横長画像であれば、Ｓ１０３で、余白位置選択メニューを表示し、ユーザ操作を監視することによって、余白を上下のどちらにつけるのかを選択させる。
【００３２】
Ｓ１０４で、ユーザが、余白位置として、上、下どちらを選択したかをチェックする。余白位置として下が選択されると、Ｓ１０５で、下位置余白レイアウトを選択する。余白位置として上が選択されると、Ｓ１０６で、上位置余白レイアウトを選択する。
【００３３】
一方、Ｓ１０２で写真画像が縦長画像であれば、Ｓ１０７で、余白位置選択メニューを表示し、ユーザ操作を監視することによって余白を、左右のどちらにつけるかの選択させる。Ｓ１０８で、ユーザが余白位置として左、右どちらを選択したかをチェックする。余白位置として右が選択されると、Ｓ１０９で、右位置余白レイアウトを選択する。余白位置として左が選択されれば、Ｓ１１０で、左位置余白レイアウトを選択する。
【００３４】
上記Ｓ１０２〜Ｓ１１０の処理によって選択されたレイアウトに従って、ＣＰＵ２は、レイアウト処理を行い、印刷記録する画像を作成する（Ｓ１１１）。なお、このレイアウト処理についての詳細を後述する。最後に、Ｓ１１２では、Ｓ１１１で作成した記録画像に従って、印字記録機構１２を制御し、ディスクメディアへ印刷する。
【００３５】
図３は、実施例１において、図２に示すＳ１０２〜Ｓ１１０の処理で選択される４種の印刷レイアウトの内容を示す図である。
【００３６】
図３（ａ）は、下余白レイアウトを示し、図３（ｂ）は、上余白レイアウトを示し、図３（ｃ）は、右余白レイアウトを示し、図３（ｄ）は、左余白レイアウトを示す。図３において、ディスクメディア印刷領域２４に対して、所定の位置に、余白領域２５が設けられ、残りの領域を覆う長方形が、画像レイアウト枠２６として定義されている。
【００３７】
次に、Ｓ１１１で行われるレイアウト処理について説明する。
【００３８】
簡単のために、写真画像が横長画像であり、余白領域を写真画像の下側に設ける場合について説明する。
【００３９】
図４は、レイアウト処理の様子を示す図である。
【００４０】
図４（ａ）に示すように、写真画像２７の外形をなす矩形の幅を、Ｗ１とし、高さを、Ｈ１とする。図４（ｂ）に示すように、画像レイアウト枠２６の幅を、Ｗ２とし、高さをＨ２とする。図４（ｃ）に示すように、写真画像２７は、画像レイアウト枠２６に外接するように相似変換され、画像レイアウト枠２６との重なり部分（図中点線枠内）が切り出される。さらに、図４（ｄ）に示すように、ディスクメディアの印刷領域２４の所定の位置に配置され、ディスクメディア印刷領域２４との重なり部分（図中点線枠内）を切り出し、印刷記録画像２８として生成する。
【００４１】
図５は、レイアウト処理を示すフローチャートである。
【００４２】
ＣＰＵ２は、写真画像２７の拡大率を決定するために、まず、Ｓ２０１で、写真画像２７の外形をなす矩形の幅Ｗ１と高さＨ１との比と、画像レイアウト枠２６の幅Ｗ２と高さＨ２との比とを比較する。（Ｗ１／Ｈ１）＜（Ｗ２／Ｈ２）であれば、Ｓ２０２で、相似変換の拡大率α＝（Ｗ２／Ｗ１）として相似変換を行う。この場合、写真画像２７が、画像レイアウト枠２６の上下にはみ出すように相似変換されるので、Ｓ２０３で、画像レイアウト枠２６との重なり部分を切り出す。
【００４３】
一方、Ｓ２０１で、（Ｗ１／Ｈ１）≧（Ｗ２／Ｈ２）であれば、Ｓ２０４で、相似変換の拡大率α＝（Ｈ２／Ｈ１）として相似変換を行う。この場合、写真画像２７が、画像レイアウト枠２６の左右にはみ出すように相似変換されるので、Ｓ２０５で、画像レイアウト枠２６との重なり部分を切り出す。
【００４４】
さらに、ＣＰＵ２は、Ｓ２０６で、ディスクメディア印刷領域２４との重なり部分のみを切り出す。上記Ｓ２０１〜Ｓ２０６の処理によって、図４で説明したようなレイアウト処理を行うことができる。
【００４５】
なお、余白領域を写真画像の上側に設ける場合、写真画像が縦長画像である場合については、詳細説明を省略するが、横長写真画像の下側に余白領域を設ける場合と同様の処理で実現が可能である。つまり、余白領域の大きさを予め決定し、画像レイアウト枠に写真画像が外接するように相似変換する。そして、相似変換された画像と画像レイアウト枠との重なり部分を切り出し、さらにディスクメディアの印刷領域との重なり部分を切り出せばよい。
【００４６】
このように構成することによって、ディスクメディアの印刷面の一部分に、タイトルや内容を書き込むための余白領域を設け、残りの領域に、写真画像をレイアウトして印刷することができる。また、このように構成することによって、写真画像の中心がディスクメディアの中心とずれるので、写真画像の中心にあることが多い被写体の中心部が、ディスクメディアの中心部（すなわち印刷不可能領域）によって抜け落ちることを防ぐことができる。
【００４７】
上記実施例において、ユーザが行う操作は、Ｓ１０１の写真画像を選択する操作と、Ｓ１０３またはＳ１０７の余白をつける位置を選択する操作との２処理だけである。このために、ユーザは、簡単な操作を行うだけで、所望の印刷結果を得ることができる。
【実施例２】
【００４８】
本発明の実施例２は、余白領域の大きさをユーザが選択できる実施例である。
【００４９】
図６は、実施例２における画像記録装置１のＣＰＵ２による処理内容を示すフローチャートである。
【００５０】
Ｓ３０１〜Ｓ３１０の内容については、実施例１における図２のフローチャートのＳ１０１〜Ｓ１１０とまったく同じである。Ｓ３１０までの処理によって、レイアウトを選択した後に、ＣＰＵ２は、Ｓ３１１で、余白量を大、中、小の３種からいずれかを選択させるメニューを表示し、ユーザ操作を監視することによって、余白量を選択させる。
【００５１】
また、以降の処理であるＳ３１２の処理は、図２のＳ１１１の処理と同じであり、Ｓ３１３の処理は、Ｓ１１２の処理と同じである。
【００５２】
図７は、実施例２におけるレイアウトの例を示す図である。
【００５３】
簡単のために、写真画像が横長画像であり、余白領域を写真画像の下側に設ける場合について示してある。図７（ａ）は、余白量が大（多い）の場合のレイアウトを示す図である。図７（ｂ）は、余白量が中程度の場合のレイアウトを示す図である。図７（ｃ）は、余白量が小（少ない）の場合のレイアウトを示す図である。
【００５４】
このように構成することによって、ユーザは、タイトルや内容を書き込みたい量に応じて、簡単に余白量を変更することができる。なお、上記説明では、余白量を大、中、小の３段階で選択できるようにしたが、さらに多段階に選択できるようにしてもよい。
【実施例３】
【００５５】
上記実施例１、２は、余白領域の大きさを先に決定し、これに合わせて、写真画像のレイアウトを行う実施例である。
【００５６】
本発明の実施例３は、写真画像の外径をなす長方形のアスペクト比（すなわち長辺と短辺との比）から、余白量を決定する実施例である。
【００５７】
実施例３における画像記録装置１のＣＰＵ２による処理内容は、実施例１で説明した図２と同じである。
【００５８】
実施例３において、図２に示すＳ１１１で行われるレイアウト処理について説明する。
【００５９】
簡単のために、写真画像が横長画像であり、余白領域を写真画像の下側に設ける場合について説明する。
【００６０】
図８は、レイアウト処理の様子を示す図である。
【００６１】
図８（ａ）に示すように、写真画像２７の外形をなす矩形の幅をＷ１とし、写真画像２７の外形をなす矩形の高さを、Ｈ１とする。一方、図８（ｂ）に示すように、ディスクメディア印刷領域２４の外形をなす円の半径をＲとする。図８（ｃ）に示すように、写真画像２７は、上側の長辺と左右の短辺との合計３辺が、それぞれ、ディスクメディア印刷領域２４に外接するように相似変換される。このときに、写真画像は、幅２×Ｒ、高さが２×Ｒ×Ｈ１／Ｗ１の矩形となる。この領域を、画像レイアウト枠として設定し、残りの領域を余白領域として設定する。
【００６２】
図９は、実施例３におけるレイアウト処理の内容を示すフローチャートである。
【００６３】
ＣＰＵ２は、Ｓ４０１で、拡大率α＝（２×Ｒ／Ｗ１）として相似変換を行う。この場合、写真画像２７が、画像レイアウト枠２６にちょうど合うように相似変換されるのでＳ４０２で、ディスクメディア印刷領域２４との重なり部分を切り出す。上記Ｓ４０１〜Ｓ４０２の処理によって、図８で説明したレイアウト処理を行うことができる。
【００６４】
なお、余白領域を写真画像の上側に設け、写真画像が縦長画像である場合については、詳細説明を省略するが、横長写真画像の下側に余白領域を設ける場合と同様の処理で実現が可能である。つまり、最初に写真画像の３辺がディスクメディア領域に外接するように相似変換し、この領域を画像レイアウト枠とし、残りの領域を余白領域として設定すればよい。
【００６５】
このように構成することによって、写真画像の上下左右ができるだけ切れないようにレイアウトし、残った領域を余白領域とし、この余白領域に、タイトルや内容を書き込むために用いることができる。
【実施例４】
【００６６】
実施例１〜実施例３は、写真画像の中心位置とディスクメディアの中心位置とを、互いにずらすことによって、被写体の中心部分が、ディスクメディアの中心部の印刷不可能領域から抜け落ちることを防ぐ実施例である。実際には、被写体の中心部分は、必ずしも写真画像の中心にあるとは限らない。
【００６７】
本発明の第４の実施例は、写真画像の特徴を抽出し、写真画像の被写体中心位置を検出した結果を用いることによって、余白領域を、写真画像のどちら側につけるかを自動的に決定する実施例である。
【００６８】
ここで、写真画像の特徴を抽出して被写体中心位置を検出するための手法としては、既に考案されている各種の手法を用いることができる。
【００６９】
図１０は、実施例４におけるＣＰＵ２による処理内容を示すフローチャートである。
【００７０】
ＣＰＵ２は、Ｓ５０１で、表示部１４に画像選択メニューを表示し、操作部１５に対するユーザ操作を監視することによって、写真画像選択を行わせる。Ｓ５０２で、選択された写真画像の特徴抽出によって、被写体中心位置を検出し、その位置を（Ｘ，Ｙ）として記憶する。ＣＰＵ２は、Ｓ５０３で、選択された写真画像の縦、横の大きさを取得し、写真画像が、縦長画像であるか横長画像であるかをチェックする。
【００７１】
Ｓ５０３でのチェックで写真画像が横長画像であることが判明すれば、Ｓ５０４では、Ｓ５０２で検出した被写体中心位置Ｙ座標が写真画像中央から上下どちら寄りにあるかをチェックする。
【００７２】
被写体中心位置Ｙが、写真画像中央よりも上寄りにあれば、Ｓ５０５で、下位置余白レイアウトを選択する。被写体中心位置Ｙが、写真画像中央よりも下寄りにあれば、Ｓ５０６で、上位置余白レイアウトを選択する。
【００７３】
一方、Ｓ５０３でのチェックで写真画像が縦長画像であることが判明すれば、Ｓ５０７では、Ｓ５０２で検出した被写体中心位置Ｘ座標が、写真画像中央から左右どちら寄りにあるかをチェックする。被写体中心位置Ｘが、写真画像中央よりも左寄りにあれば、Ｓ５０８で、右位置余白レイアウトを選択する。
【００７４】
被写体中心位置Ｘが写真画像中央よりも右寄りにあれば、Ｓ５０９で、左位置余白レイアウトを選択する。上記Ｓ５０２〜Ｓ５０９の処理によって選択されたレイアウトにしたがって、ＣＰＵ２は、レイアウト処理を行い印刷記録する画像を作成する（Ｓ５１０）。Ｓ５１１では、Ｓ５１０で作成した記録画像に従って、印字記録機構１２を制御してディスクメディアへ印刷する。
【００７５】
なお、Ｓ５０２〜Ｓ５０９の処理で選択されるレイアウトの種類は、実施例１で説明したものと同じでよい。Ｓ５１０におけるレイアウト処理の詳細についても、実施例１または３で説明したものと同様の処理を行えばよい。また、実施例２で説明したように、余白量を設定する処理を追加することも可能である。
【００７６】
このように構成することによって、被写体の中心部が抜け落ちることを、より確実に防ぐことができる。また、実施例４において、ユーザが行う操作は、Ｓ５０１の写真画像を選択する操作だけである。したがって、ユーザは、実施例１〜３よりも、さらに簡単な操作を行うだけで、所望の印刷結果を得ることができる。
【実施例５】
【００７７】
実施例１〜４は、余白領域として設けた領域には、何も印刷しないことを前提にする実施例である。
【００７８】
実施例５は、操作部１５を介して、文字データを入力したものや、読取機構７によって読み取った原稿画像を、余白領域にレイアウトし、印刷する実施例である。
【００７９】
また、上記各実施例において、写真画像データを入力する画像入力手段として、メモリカード１８を使用するが、読取機構７が写真を原稿として読み取った画像データを入力するようにしてもよい。
【００８０】
さらには、通信回線２３またはインタフェース２０を介して、外部の機器から写真画像データを取得するようにしてもよい。
【００８１】
上記実施例によれば、簡単な操作で写真画像をディスクメディアに配置することができ、タイトルや説明文を書き込むための余白領域を確保することができる。
【００８２】
そして、上記実施例によれば、写真画像を配置することで、写真画像の中央部分とディスクメディアの中央部分とが重ならないので、中心に配置された被写体が抜け落ちることがない。
【００８３】
また、ユーザが選択した写真画像をそのまま用いる代わりに、選択された写真画像にユーザがトリミング指定した画像に、相似変換等、上記実施例における処理を施すようにしてもよい。ただし、トリミング指定した写真画像の解像度によっては、トリミング画像をきれいに印刷できない場合がある。解像度と拡大率との関係から、自動または手動で印刷の可否を判断する処理を設けるようにしてもよい。
【図面の簡単な説明】
【００８４】
【図１】本発明の実施例１である画像記録装置１の構成を示すブロック図である。
【図２】実施例１において、メモリカード１８に記憶されている写真画像のうちの１枚を選択し、ディスメディアのラベル面に印刷する場合に、画像記録装置１のＣＰＵ２が行う処理を示すフローチャートである。
【図３】実施例１において、図２に示すＳ１０２〜Ｓ１１０の処理で選択される４種の印刷レイアウトの内容を示す図である。
【図４】レイアウト処理の様子を示す図である。
【図５】レイアウト処理を示すフローチャートである。
【図６】実施例２における画像記録装置１のＣＰＵ２による処理内容を示すフローチャートである。
【図７】実施例２におけるレイアウトの例を示す図である。
【図８】レイアウト処理の様子を示す図である。
【図９】実施例３におけるレイアウト処理の内容を示すフローチャートである。
【図１０】実施例４におけるＣＰＵ２による処理を示すフローチャートである。
【符号の説明】
【００８５】
１…画像記録装置、
２…ＣＰＵ、
４…プログラムメモリ、
５…データメモリ、
６…読取制御部、
７…読取機構、
８…読取バッファメモリ、
９…データ変換部、
１０…印字バッファメモリ、
１１…記録制御部、
１２…印字記録機構、
１３…画像メモリ、
１４…表示部、
１５…操作部、
１６…操作パネル、
１７…メモリカード制御部、
１８…メモリカード。
【図１】
2008068422.tif 000003
【図２】
2008068422.tif 000004
【図３】
2008068422.tif 000005
【図４】
2008068422.tif 000006
【図５】
2008068422.tif 000007
【図６】
2008068422.tif 000008
【図７】
2008068422.tif 000009
【図８】
2008068422.tif 000010
【図９】
2008068422.tif 000011
【図１０】
2008068422.tif 000012